(57)【要約】【課題】ホーム加入者サーバ（ＨＳＳ）がレガシー・ホーム・ロケーション・レジスタ（ＨＬＲ）から加入者の動的なロケーション／状態情報を取り出すための技法およびシステムを提供すること。【解決手段】例えば、ホーム加入者サーバ（ＨＳＳ）は、移動体アプリケーション部（ＭＡＰ）動作ＡＴＩ（ＡｎｙＴｉｍｅＩｎｔｅｒｒｏｇａｔｉｏｎ）メッセージ交換技法を用いて、レガシー・ホーム・ロケーション・レジスタ（ＨＬＲ）に照会し、要求されたロケーション／状態情報を入手できる。【選択図】図３
2006115515.tif 000002
【特許請求の範囲】
【請求項１】
レガシー・ネットワーク内でホーム加入者サーバ（ＨＳＳ）と少なくとも１つのホーム・ロケーション・レジスタ（ＨＬＲ）間の対話を容易にする方法であって、
ホーム加入者サーバ（ＨＳＳ）でメッセージを受信する工程と、
前記メッセージが加入者の移動局のロケーションまたは状態情報を要求しているか否かを決定する工程と、
前記移動局のホーム・ロケーション・レジスタ（ＨＬＲ）のアドレスを決定する工程と、
前記ロケーションまたは状態情報を求める要求を前記アドレスに基づいて前記ホーム・ロケーション・レジスタ（ＨＬＲ）に送信する工程と、
前記ロケーションまたは状態情報を含む応答を前記ホーム・ロケーション・レジスタ（ＨＬＲ）から受信する工程とを含む方法。
【請求項２】
前記ホーム・ロケーション・レジスタ（ＨＬＲ）の前記アドレスを決定する工程がデータベースにアクセスする工程を含む請求項１に記載の方法。 
【請求項３】
前記送信工程が移動体アプリケーション部（ＭＡＰ）要求メッセージを送信する工程を含む請求項１に記載の方法。 
【請求項４】
前記送信工程が移動体アプリケーション部（ＭＡＰ）ＡｎｙＴｉｍｅＩｎｔｅｒｒｏｇａｔｉｏｎ（ＡＴＩ）要求メッセージを送信する工程を含む請求項１に記載の方法。
【請求項５】
前記受信工程が移動体アプリケーション部（ＭＡＰ）応答メッセージ内でロケーションまたは状態情報を受信する工程を含む請求項１に記載の方法。
【請求項６】
前記受信工程が移動体アプリケーション部（ＭＡＰ）ＡｎｙＴｉｍｅＩｎｔｅｒｒｏｇａｔｉｏｎ（ＡＴＩ）応答メッセージ内で前記ロケーションまたは状態情報を受信する工程を含む請求項１に記載の方法。
【請求項７】
ホーム・ロケーション・レジスタ（ＨＬＲ）が第２の要求をビジティング・ロケーション・レジスタまたはサービングＧＰＲＳサポート・ノード（ＶＬＲ／ＳＧＳＮ）に送信する工程と、
前記ホーム・ロケーション・レジスタ（ＨＬＲ）が前記ビジティング・ロケーション・レジスタ／サービングＧＰＲＳサポート・ノードから第２の応答を受信する工程とを含む請求項１に記載の方法。
【請求項８】
加入者をホーム・ロケーション・レジスタ（ＨＬＲ）のアドレスに関連付ける情報を記憶したデータベースと、
加入者の移動局のロケーションまたは状態を求める要求が受信されたか否かを決定し、前記移動局のホーム・ロケーション・レジスタ（ＨＬＲ）のアドレスを決定し、前記ロケーションまたは状態情報を求める要求を前記アドレスに基づいて前記ホーム・ロケーション・レジスタ（ＨＬＲ）に送信し、前記ホーム・ロケーション・レジスタ（ＨＬＲ）から前記ロケーションまたは状態情報を含む応答を受信するように機能するモジュールとを含むホーム加入者サーバ（ＨＳＳ）。
【請求項９】
前記要求が移動体アプリケーション部（ＭＡＰ）要求メッセージを含む請求項８に記載のサーバ。
【請求項１０】
前記応答が移動体アプリケーション部（ＭＡＰ）応答メッセージを含む請求項８に記載のサーバ。
【発明の詳細な説明】
【技術分野】
【０００１】
本発明は、レガシー・ネットワーク内でホーム加入者サーバ（ＨＳＳ）とホーム・ロケーション・レジスタ（ＨＬＲ）間の対話を容易にする方法および装置に関する。より詳細には、本発明は、ホーム加入者サーバ（ＨＳＳ）がレガシー・ホーム・ロケーション・レジスタ（ＨＬＲ）から加入者の動的なロケーション／状態情報を検索するための技法およびシステムを提供する。例えば、ホーム加入者サーバ（ＨＳＳ）は、移動体アプリケーション部（ＭＡＰ）の動作ＡＴＩ（ＡｎｙＴｉｍｅＩｎｔｅｒｒｏｇａｔｉｏｎ）メッセージ交換技法を用いて、レガシー・ホーム・ロケーション・レジスタ（ＨＬＲ）に照会して要求したロケーション／状態情報を得ることができる。
【０００２】
本発明は、特に、レガシー・ネットワーク内でホーム加入者サーバ（ＨＳＳ）とホーム・ロケーション・レジスタ（ＨＬＲ）との間で対話を容易にして状態またはロケーション情報を取り出す技術を対象とし、したがって特にそれに関して説明するが、本発明は他の分野および用途でも有用であることを理解されたい。例えば、本発明は、レガシー・ネットワーク内の新しいネットワーク要素の他の実施態様で使用できる。
【背景技術】
【０００３】
背景として、レガシー・ネットワークは、特定の移動体加入者のロケーションおよび／または状態情報を決定するのに有用な機能を含む。例えば、図１を参照すると、ネットワーク１０の一部が示されている。図に示すように、ネットワークはホーム・ロケーション・レジスタ（ＨＬＲ）１４と通信するサービス制御ポイント（ＳＣＰ）１２を含む。また、ビジタ・ロケーション・レジスタ（ＶＬＲ）および／またはサービングＧＰＲＳ（汎用無線パケットサービス）サポート・ノード（ＳＧＳＮ）１６が示されている。
【発明の開示】
【発明が解決しようとする課題】
【０００４】
サービス制御ポイント（ＳＣＰ）１２が移動局のロケーションまたは状態要求を受信すると、サービス制御ポイント（ＳＣＰ）１２は通常、移動体アプリケーション部（ＭＡＰ）メッセージ（例えば、ＡｎｙＴｉｍｅＩｎｔｅｒｒｏｇａｔｉｏｎ（ＡＴＩ）要求）の形式で、その情報を求める要求を適当なホーム・ロケーション・レジスタ（ＨＬＲ）１４に送信する。するとホーム・ロケーション・レジスタはビジタ・ロケーション・レジスタ（ＶＬＲ）および／またはサービングＧＰＲＳ（汎用無線パケットサービス）サポート・ノード（ＳＧＳＮ）１６と通信し、標準のメッセージ交換技法（例えば、移動体アプリケーション部（ＭＡＰ）ＰｒｏｖｉｄｅＳｕｂｓｃｒｉｂｅｒＩｎｆｏ（ＰＳＩ）要求および応答）を用いて要求された情報を取り出す。ホーム・ロケーション・レジスタ（ＨＬＲ）１４は、最終的に、移動体アプリケーション部（ＭＡＰ）メッセージ交換方式（例えば、ＡｎｙＴｉｍｅＩｎｔｅｒｒｏｇａｔｉｏｎ（ＡＴＩ）応答）を用いて、要求された情報をサービス制御ポイント（ＳＣＰ）１２に送信する。
【０００５】
３ＧＰＰ標準（例えば、３ＧＰＰ  Ｓｈ標準ＴＳ２３．００２）はレガシー・ホーム・ロケーション・レジスタ（ＨＬＲ）に代わるホーム加入者サーバ（ＨＳＳ）の実施を規定している。このために、当該標準は、ホーム加入者サーバ（ＨＳＳ）の機能がレガシー・ホーム・ロケーション・レジスタ（ＨＬＲ）の機能を含むことを規定している。ホーム加入者サーバ（ＨＳＳ）はまたインターネット（またはＩＰ）メディア・サブシステム（ＩＭＳ）機能を提供する必要がある。これを図２に示す。図２では、ホーム加入者サーバ（ＨＳＳ）１０はインターネット・メディア・サブシステム（ＩＭＳ）機能を実行する第１のモジュール２２と、ホーム・ロケーション・レジスタ（ＨＬＲ）機能を実行する第２のモジュール２４とを含む。
【０００６】
この環境では、ホーム加入者サーバ（ＨＳＳ）はアプリケーション・サーバ（ＡＳ）からロケーション／状態照会を受信する。次に、ホーム加入者サーバ（ＨＳＳ）は、ホーム加入者サーバ（ＨＳＳ）が入手できる情報に基づいて、移動体アプリケーション部（ＭＡＰ）ＰｒｏｖｉｄｅＳｕｂｓｃｒｉｂｅｒＩｎｆｏ（ＰＳＩ）要求を直接、加入者のビジタ・ロケーション・レジスタおよび／またはサービングＧＰＲＳサポート・ノード（ＶＬＲ／ＳＧＳＮ）に送信してロケーション／状態情報を取得する。
【０００７】
ただし、実施においては、多数のサービス・プロバイダはレガシー・ホーム・ロケーション・レジスタ（ＨＬＲ）を維持し、ホーム・ロケーション・レジスタ（ＨＬＲ）として機能しないホーム加入者サーバ（ＨＳＳ）を購入したいと考えている。このタイプのホーム加入者サーバ（ＨＳＳ）はインターネット・マルチメディア・サブシステム（ＩＭＳ）機能を依然として実行する。ただし、この形態のホーム加入者サーバ（ＨＳＳ）では、静的にプロビジョニングされない加入者のビジタ・ロケーション・レジスタおよび／またはサービングＧＰＲＳサポート・ノード（ＶＬＲ／ＳＧＳＮ）番号を維持または入手可能にすることができない。その結果、このタイプのホーム加入者サーバ（ＨＳＳ）は、例えば、インターネット・メディア・サブシステム（ＩＭＳ）アプリケーション・サーバ（ＡＳ）からの任意の照会に応えるために、ホーム・ロケーション・レジスタ（ＨＬＲ）からの加入者の動的なロケーション／状態データを取り出す機能を必要とする。
【０００８】
ただし、現行標準は、ホーム・ロケーション・レジスタ（ＨＬＲ）機能がホーム加入者サーバ（ＨＳＳ）に統合されると考えているため、ホーム・ロケーション・レジスタ（ＨＬＲ）とホーム加入者サーバ（ＨＳＳ）との間に定義された標準インタフェースは存在しない。したがって、各標準の所望の実施態様と、各標準が考えている実施態様との間には不一致がある。
本発明は上記その他の問題を解決する新しい改良型システムを意図している。
【課題を解決するための手段】
【０００９】
レガシー・ネットワーク内でホーム加入者サーバ（ＨＳＳ）とホーム・ロケーション・レジスタ（ＨＬＲ）間の対話を容易にする方法および装置が提供される。
本発明の一態様による方法は、ホーム加入者サーバ（ＨＳＳ）でメッセージを受信する工程と、前記メッセージが加入者の移動局のロケーションまたは状態情報を要求しているか否かを決定する工程と、前記移動局のホーム・ロケーション・レジスタ（ＨＬＲ）のアドレスを決定する工程と、前記ロケーションまたは状態情報を求める要求を前記アドレスに基づいて前記ホーム・ロケーション・レジスタ（ＨＬＲ）に送信する工程と、前記ロケーションまたは状態情報を含む応答を前記ホーム・ロケーション・レジスタ（ＨＬＲ）から受信する工程とを含む。
【００１０】
本発明の別の態様では、前記方法は、前記ホーム加入者サーバ（ＨＳＳ）にアプリケーション・サーバ（ＡＳ）からメッセージを送信する工程をさらに含む。
本発明の別の態様では、前記ホーム・ロケーション・レジスタ（ＨＬＲ）のアドレスを決定する工程はデータベースにアクセスする工程を含む。
本発明の別の態様では、送信工程は移動体アプリケーション部（ＭＡＰ）要求メッセージを送信する工程を含む。
【００１１】
本発明の別の態様では、送信工程は移動体アプリケーション部（ＭＡＰ）ＡｎｙＴｉｍｅＩｎｔｅｒｒｏｇａｔｉｏｎ（ＡＴＩ）要求メッセージを送信する工程を含む。
本発明の別の態様では、受信工程は、移動体アプリケーション部（ＭＡＰ）応答メッセージ内でロケーションまたは状態情報を受信する工程を含む。
本発明の別の態様では、受信工程は、移動体アプリケーション部（ＭＡＰ）ＡｎｙＴｉｍｅＩｎｔｅｒｒｏｇａｔｉｏｎ（ＡＴＩ）応答メッセージ内でロケーションまたは状態情報を受信する工程を含む。
【００１２】
本発明の別の態様では、前記方法は、ホーム・ロケーション・レジスタ（ＨＬＲ）が第２の要求をビジティング・ロケーション・レジスタまたはサービングＧＰＲＳサポート・ノード（ＶＬＲ／ＳＧＳＮ）に送信する工程と、前記ホーム・ロケーション・レジスタ（ＨＬＲ）が前記ビジティング・ロケーション・レジスタ／サービングＧＰＲＳサポート・ノードから第２の応答を受信する工程とを含む。
【００１３】
本発明の別の態様では、前記第２の要求を送信する工程は、移動体アプリケーション部（ＭＡＰ）要求メッセージを送信する工程を含む。
本発明の別の態様では、前記第２の要求を送信する工程は、移動体アプリケーション部（ＭＡＰ）ＰｒｏｖｉｄｅＳｕｂｓｃｒｉｂｅｒＩｎｆｏ（ＰＳＩ）要求メッセージを送信する工程を含む。
【００１４】
本発明の別の態様では、前記第２の要求を受信する工程は、移動体アプリケーション部（ＭＡＰ）応答メッセージを受信する工程を含む。
本発明の別の態様では、前記第２の要求を受信する工程は、移動体アプリケーション部（ＭＡＰ）ＰｒｏｖｉｄｅＳｕｂｓｃｒｉｂｅｒＩｎｆｏ（ＰＳＩ）応答メッセージを受信する工程を含む。
本発明の別の態様では、本発明の方法を実施する手段が提供される。
【００１５】
本発明の別の態様のシステムは、加入者をホーム・ロケーション・レジスタ（ＨＬＲ）のアドレスに関連付ける情報を記憶したデータベースと、加入者の移動局のロケーションまたは状態を求める要求が受信されたか否かを決定し、前記移動局のホーム・ロケーション・レジスタ（ＨＬＲ）のアドレスを決定し、前記ロケーションまたは状態情報を求める要求を前記アドレスに基づいて前記ホーム・ロケーション・レジスタ（ＨＬＲ）に送信し、前記ホーム・ロケーション・レジスタ（ＨＬＲ）から前記ロケーションまたは状態情報を含む応答を受信するように機能するモジュールとを含む。
【００１６】
本発明の別の態様では、前記要求は移動体アプリケーション部（ＭＡＰ）要求メッセージを含む。
本発明の別の態様では、前記要求は移動体アプリケーション部（ＭＡＰ）ＡｎｙＴｉｍｅＩｎｔｅｒｒｏｇａｔｉｏｎ（ＡＴＩ）要求メッセージを含む。
本発明の別の態様では、前記応答は移動体アプリケーション部（ＭＡＰ）応答メッセージを含む。
本発明の別の態様では、前記応答は移動体アプリケーション部（ＭＡＰ）ＡｎｙＴｉｍｅＩｎｔｅｒｒｏｇａｔｉｏｎ（ＡＴＩ）応答メッセージを含む。
【００１７】
本発明のさらなる適用範囲は、以下の詳細な説明から明らかになろう。ただし、本発明の精神および範囲内のさまざまな変更および修正は当業者には明らかになるため、本発明の好ましい実施形態を示す詳細な説明および具体例は例示的なものに過ぎないことを理解されたい。
【００１８】
本発明は、前記意図された目的が以下に詳述するように達成され、請求の範囲に具体的に記載され、添付図面に示される、装置のさまざまな部品の構造、構成、および組み合わせと、方法工程の形で存在する。
【発明を実施するための最良の形態】
【００１９】
本発明の好ましい実施形態を例示する目的でのみ示され、本発明を限定するものではない図を参照すると、図３に、本発明が実施できるシステム、例えば、インターネット（またはＩＰ）マルチメディア・サブシステム（ＩＭＳ）の一部が示されている。図示のように、ネットワーク１００の一部はアプリケーション・サーバ（ＡＳ）１０２と、ホーム加入者サーバ（ＨＳＳ）１０４とを含む。ネットワーク１００はまた、ホーム・ロケーション・レジスタ（ＨＬＲ）１０６およびビジタ・ロケーション・レジスタまたはサービングＧＰＲＳ（汎用無線パケットサービス）サポート・ノード（ＶＬＲ／ＳＧＳＮ）１０８などのレガシー・システムの一部を含む。
【００２０】
ネットワーク１００は説明を容易にするために例として示されていることを理解されたい。図から分かるように、ネットワーク１００は記載の実施形態が実施できるネットワークの一部しか表さないものであってもよい。例えば、ネットワーク内に、図示のホーム加入者サーバ（ＨＳＳ）と通信する追加のアプリケーション・サーバ（ＡＳ）とホーム・ロケーション・レジスタ（ＨＬＲ）とを含むことができる。追加のホーム加入者サーバ（ＨＳＳ）と他のネットワーク要素も提供できる。
【００２１】
アプリケーション・サーバ１０２は、好ましくは、当業者が理解できる方法で機能するインターネット・マルチメディア・サブシステム（ＩＭＳ）アプリケーション・サーバ（ＡＳ）である。本明細書に記載する実施形態では、アプリケーション・サーバ（ＡＳ）１０２は通常、Ｄｉａｍｅｔｅｒ  Ｓｈ（ＵＤＲ）プロトコル要求メッセージの形式でロケーションまたは状態情報を求める要求を送信する。また、アプリケーション・サーバ（ＡＳ）１０２は、Ｄｉａｍｅｔｅｒ  Ｓｈ（ＵＤＲ）プロトコル応答メッセージを受信するよう動作する。ただし、その他のメッセージ交換技法およびプロトコルも使用できることを理解されたい。
【００２２】
同様に、ホーム・ロケーション・レジスタ（ＨＬＲ）１０６およびビジタ・ロケーション・レジスタまたはサービングＧＰＲＳサポート・ノード（ＶＬＲ／ＳＧＳＮ）１０８は、よく知られている形態をとる。ホーム・ロケーション・レジスタ（ＨＬＲ）１０６およびビジタ・ロケーション・レジスタまたはサービングＧＰＲＳサポート・ノード（ＶＬＲ／ＳＧＳＮ）１０８が好ましくは標準移動体アプリケーション部（ＭＡＰ）プロトコル・メッセージ交換をサポートすることを理解されたい。ただし、その他のメッセージ交換技法またはプロトコルも使用できる。
【００２３】
少なくとも一実施形態では、ホーム加入者サーバ（ＨＳＳ）１０４は、図４に示す形態をとる。図示のように、ホーム加入者サーバ（ＨＳＳ）１０４は、他のネットワーク要素およびホーム加入者サーバ（ＨＳＳ）１０４内の要素へのインタフェースを提供するよう動作するインタフェース・モジュール４０などのモジュールまたはインタフェースを含む。インタフェース・モジュール４０は、例えば、アプリケーション・サーバ（ＡＳ）１０２およびホーム・ロケーション・レジスタ（ＨＬＲ）１０６との間でデータを送受信するいくつかの異なる形態に具体化できる（また、複数のモジュールまたはインタフェースを通して分散できる）。また、インタフェース・モジュール４０はインターネット・マルチメディア・サブシステム（ＩＭＳ）機能を提供するホーム加入者サーバ（ＨＳＳ）１０４のモジュールと通信する。このインターネット・マルチメディア・サブシステム機能は、単一のモジュール４２として示されている。ただし、ホーム加入者サーバ（ＨＳＳ）１０４のこの機能は当業者には明らかなさまざまな形態をとることができることを理解されたい。この考え方に従って、ホーム加入者サーバ（ＨＳＳ）１０４は、説明を分かりやすくするために示していない他の構成要素も含むことができることも理解されたい。ただし、そのような他の機能が要素１０４内に含まれることを当業者は理解するであろう。
【００２４】
インタフェース・モジュール４０はまたホーム加入者サーバ（ＨＳＳ）１０４内のデータベース４４と通信する。図示のように、データベース４４は、個人ユーザ識別が記憶されるユーザ・データ・フィールド４６を含む。またデータベース４４は、国際移動体加入者識別（ＩＭＳＩ）および各個人ユーザＩＤのホーム・ロケーション・レジスタ（ＨＬＲ）アドレスに関連するデータ・フィールド４８および５０を含む。データベース４４は他のネットワーク要素内に、または別のネットワーク要素としても提供できることを理解されたい。さらに、データベース４４は、説明を分かりやすくするために記述を省略した他のデータ・フィールドを含むことができる。
【００２５】
データベース４４は、各インターネット・メディア・サブシステム（ＩＭＳ）のユーザが個人ユーザ識別（例えば、個人ユーザＩＤ）を所有するという事実に基づいて構築され維持される。各個人ユーザＩＤはＵＭＴＳ／ＧＳＭ国際移動体加入者識別（ＩＭＳＩ）と１対１に対応することができる。本発明のホーム加入者サーバ（ＨＳＳ）は、個人ユーザＩＤがＵＭＴＳ／ＧＳＭ国際移動体加入者識別（ＩＭＳＩ）と１対１に対応する場合に、個人ユーザＩＤの国際移動体加入者識別（ＩＭＳＩ）を記憶する（例えば、データベース４４内に）。ホーム加入者サーバ（ＨＳＳ）１０４も同様に各国際移動体加入者識別（ＩＭＳＩ）のホーム・ロケーション・レジスタ（ＨＬＲ）のアドレスを記憶する（例えば、データベース４４内に）。
【００２６】
上記のように、ホーム加入者サーバ（ＨＳＳ）１０４はインターネット・マルチメディア・サブシステム（ＩＭＳ）機能と本明細書に記載する本発明の目的とをサポートする働きをする。ホーム加入者サーバ（ＨＳＳ）は好ましくは標準の移動体アプリケーション部（ＭＡＰ）プロトコルまたは使用可能なその他のプロトコルをサポートすることを理解されたい。
【００２７】
ホーム加入者サーバ（ＨＳＳ）１０４の実際の実施態様は、意図されたレガシー・ホーム・ロケーション・レジスタ（ＨＬＲ）機能なしにサービス・プロバイダにホーム加入者サーバ（ＨＳＳ）を提供することで達成できる。あるいは、標準のホーム加入者サーバ（ＨＳＳ）内でそのような機能を単に無効にしたり停止することができる。いずれにせよ、本発明（図５および６など）に関して記述された機能は、本発明の目的を達成するためにホーム加入者サーバ（ＨＳＳ）内で実行されることが好ましい。
【００２８】
この点に関して、図３および４に関連して説明する実施形態は、ホーム加入者サーバ（ＨＳＳ）が既存の標準の移動体アプリケーション部（ＭＡＰ）の動作、例えば、ＡｎｙＴｉｍｅＩｎｔｅｒｒｏｇａｔｉｏｎ（ＡＴＩ）メッセージを介してレガシー・ホーム・ロケーション・レジスタ（ＨＬＲ）から加入者の動的なロケーション／状態データを取り出すための解決策を提供する。これらの実施形態によれば、ホーム加入者サーバ（ＨＳＳ）は、インターネット・メディア・サブシステム（ＩＭＳ）のアプリケーション・サーバ（ＡＳ）が加入者の動的なロケーション／状態情報についてホーム加入者サーバ（ＨＳＳ）に照会した時に、加入者の動的なロケーション／状態データをレガシー・ホーム・ロケーション・レジスタ（ＨＬＲ）から取り出すことができる。ホーム加入者サーバ（ＨＳＳ）が加入者のロケーション／状態データを取り出した後で、ホーム加入者サーバ（ＨＳＳ）はこのデータをインターネット・メディア・サブシステム（ＩＭＳ）アプリケーション・サーバ（ＡＳ）に渡してインターネット・メディア・サブシステム（ＩＭＳ）アプリケーション・サーバ（ＡＳ）からの照会に応える。
【００２９】
上記のように、本発明は好ましくはホーム加入者サーバ（ＨＳＳ）１０４の変形形態によって実施される。変形形態は、さまざまなソフトウェア技法およびハードウェア構成を用いたさまざまな方法で実施できる。一形態では、ソフトウェア・ルーチンがインタフェース・モジュール４０内で実施され、いつロケーションまたは状態情報が要求されたかを決定する方法で機能し、その情報をレガシー・ネットワークから入手しようと努める。そうする過程で、ホーム・ロケーション・レジスタ（ＨＬＲ）１０６から見て、ホーム加入者サーバ（ＨＳＳ）１０４は、サービス制御ポイント（ＳＣＰ）（例えば、図１のサービス制御ポイント（ＳＣＰ）１２）として機能することになる。
【００３０】
この点に関して、図５を参照すると、本発明の方法５００が示されている。図示のように、ホーム加入者サーバ（ＨＳＳ）１０４（例えば、インタフェース・モジュール４０）がアプリケーション・サーバ１０２からメッセージを（５０２で）受信すると、方法５００が開始する。次いで、インタフェース・モジュール４０は、そのメッセージがロケーションまたは状態情報を求める要求を含むか否かに関して（５０４で）決定する。含まない場合、メッセージは正常であるとして（５０６で）処理される。ただし、（５０８で）受信したメッセージがロケーションまたは状態データまたは情報を求める要求を含む場合、要求先ユーザに関して国際移動体加入者識別（ＩＭＳＩ）および／またはホーム・ロケーション・レジスタ（ＨＬＲ）アドレスがデータベース４４内に記憶されているか否かが決定される。記憶されていない場合、アプリケーション・サーバ（ＡＳ）にエラー・メッセージが（５１０で）単に返送される。ただし、このユーザに関して、該当するホーム・ロケーション・レジスタ（ＨＬＲ）アドレスおよび国際移動体加入者識別（ＩＭＳＩ）が記憶されている場合、ロケーションおよび／または状態要求は記憶されたアドレスを有する適当なホーム・ロケーション・レジスタ（ＨＬＲ）に（５１２で）送信される。次いで、ホーム加入者サーバ（ＨＳＳ）はロケーションおよび／または状態情報を（５１４で）受信するのを待ち、アプリケーション・サーバ（ＡＳ）に（５１６で）送信する。
【００３１】
図５に関連して説明する方法は、ホーム加入者サーバ（ＨＳＳ）の視点から本発明の機能を示す。図６を参照すると、呼のフロー６００が示されている。この呼のフローは、本発明を実施する間にホーム加入者サーバ（ＨＳＳ）と通信する他のネットワーク要素の説明をさらに提供する。
【００３２】
図６に示すように、最初に、ホーム加入者サーバ（ＨＳＳ）１０４は、インターネット・メディア・サブシステム（ＩＭＳ）アプリケーション・サーバ（ＡＳ）１０２から、ユーザ・データ要求（ＵＤＲ）メッセージなどのＤｉａｍｅｔｅｒ  ＳＨメッセージなどのメッセージを受信する。このメッセージは、インターネット・メディア・サブシステム（ＩＭＳ）などのネットワークのユーザまたはネットワークの加入者の回線ドメイン・ロケーション／状態データまたはパケット・ドメイン・ロケーション／状態データを（６０２で）要求する。そのようなメッセージはさまざまな理由で生成できる。
【００３３】
ホーム加入者サーバ（ＨＳＳ）１０４は、そのような要求が特定の移動局のロケーションまたは状態情報を求める要求を含むと判断する。次いでホーム加入者サーバ（ＨＳＳ）１０４は加入者データベース４４にアクセスし、インターネット・メディア・サブシステム（ＩＭＳ）ユーザの国際移動体加入者識別（ＩＭＳＩ）およびホーム・ロケーション・レジスタ（ＨＬＲ）アドレスを確認する。データベースから情報が取り出されると、ホーム加入者サーバ（ＨＳＳ）１０４は、移動体アプリケーション部（ＭＡＰ）ＡｎｙＴｉｍｅＩｎｔｅｒｒｏｇａｔｉｏｎ（ＡＴＩ）動作要求などの要求を、識別されたアドレスを有する適当なホーム・ロケーション・レジスタ（ＨＬＲ）１０６に送信して、要求した情報を（６０４で）入手する。
【００３４】
ホーム・ロケーション・レジスタ（ＨＬＲ）１０６は、よく知られている技法を用いて、加入者の国際移動体加入者識別（ＩＭＳＩ）の動的に記憶されたビジタ・ロケーション・レジスタ（ＶＬＲ）またはＳＧＳＮ番号を見つける。ホーム・ロケーション・レジスタ（ＨＬＲ）１０６は、要求元を識別することはないことを理解されたい。上記のこのタイプの要求は、通常、図１のサービス制御ポイント（ＳＣＰ）１２などのサービス制御ポイント（ＳＣＰ）で発信される。ただし、本発明のホーム加入者サーバは、普通、サービス制御ポイント（ＳＣＰ）などの他のネットワーク要素に用いられる標準のメッセージ交換技法を使用する。ホーム・ロケーション・レジスタ（ＨＬＲ）がメッセージ要求を認識し、送信元に応答できる限り、ホーム・ロケーション・レジスタ（ＨＬＲ）１０６がメッセージ送信元を識別する必要はない。ただし、ホーム・ロケーション・レジスタ（ＨＬＲ）１０６が、要求メッセージが権限がある送信元から発信されたか否かを判定できる場合、ホーム・ロケーション・レジスタ（ＨＬＲ）１０６は許可発信元リストにホーム加入者サーバ（ＨＳＳ）１０４を追加することができる。
【００３５】
通常の動作として、ホーム加入者サーバ（ＨＳＳ）１０４からの要求に応じて、ホーム・ロケーション・レジスタ（ＨＬＲ）１０６は、要求、例えば、移動体アプリケーション部（ＭＡＰ）ＰｒｏｖｉｄｅＳｕｂｓｃｒｉｂｅｒＩｎｆｏ（ＰＳＩ）要求を適当なビジタ・ロケーション・レジスタ（ＶＬＲ）またはＳＧＳＮ１０８に（６０６で）送信する。ビジタ・ロケーション・レジスタおよび／またはサービングＧＰＲＳサポート・ノード（ＶＬＲ／ＳＧＳＮ）１０８は、通常の動作技法によって、移動体アプリケーション部（ＭＡＰ）ＰＳＩ応答において、加入者のロケーション／状態情報をホーム・ロケーション・レジスタ（ＨＬＲ）１０６に（６０８で）返送する。
【００３６】
ホーム・ロケーション・レジスタ（ＨＬＲ）１０６は、ホーム加入者サーバ（ＨＳＳ）１０４に、加入者のロケーション／状態情報を含む移動体アプリケーション部（ＭＡＰ）ＡｎｙＴｉｍｅＩｎｔｅｒｒｏｇａｔｉｏｎ（ＡＴＩ）応答を（６１０で）送信する。
【００３７】
次いで、ホーム加入者サーバ（ＨＳＳ）１０４は、ユーザのロケーション／状態情報を含むＤｉａｍｅｔｅｒ  Ｓｈメッセージ・ユーザ・データ応答（ＵＤＡ）でインターネット・メディア・サブシステム（ＩＭＳ）アプリケーション・サーバ（ＡＳ）１０２に（６１２で）応答する。
【００３８】
上の説明は、本発明の特定の実施形態の開示に過ぎず、本発明を限定するものではない。したがって、本発明は上記の実施形態に限定されない。むしろ当業者は本発明の範囲内のさまざまな代替実施形態を考案できることを理解されたい。
【図面の簡単な説明】
【００３９】
【図１】レガシー・ネットワークの一部を示す図である。
【図２】一標準によって意図されるホーム加入者サーバ（ＨＳＳ）の概略図である。
【図３】本発明が実施できるネットワークを示す図である。
【図４】本発明のホーム加入者サーバ（ＨＳＳ）を示す図である。
【図５】本発明の方法を示すフロー・チャーである。
【図６】本発明の方法を示す呼のフロー図である。
【図１】
2006115515.tif 000003
【図２】
2006115515.tif 000004
【図３】
2006115515.tif 000005
【図４】
2006115515.tif 000006
【図５】
2006115515.tif 000007
【図６】
2006115515.tif 000008